【事件の表示】
　特願２０１０−５２９６５９「放射線画像撮影システム」拒絶査定不服審判事件〔平成２２年　３月２５日国際公開、ＷＯ２０１０／０３２４９４〕について、次のとおり審決する。
【結　論】
　本件審判の請求は、成り立たない。
【理　由】
第１　手続の経緯
　
　本願は、平成２１年２月２５日（優先権主張平成２０年９月１８日）の出願であって、平成２３年１１月１８日付けで手続補正がなされ、平成２５年１月２５日付けで拒絶理由が通知され、同年３月１２日付けで意見書が提出されるとともに、同日付けで手続補正がなされ、同年６月６日付けで拒絶理由が通知され、同年７月１８日付けで意見書が提出されたが、同年１０月１６日付けで拒絶査定がなされ、これに対して、平成２６年１月７日に拒絶査定不服審判の請求がなされたものである。
　
　
第２　本願発明
　本願の請求項１に係る発明（以下「本願発明」という。）は、平成２５年３月１２日付けの手続補正により補正された特許請求の範囲の請求項１に記載された事項により特定される次のとおりのものと認める。　
「放射線照射を開始させる操作ボタンを有する放射線照射装置と、
蛍光体プレートを内蔵するＣＲカセッテと、
前記ＣＲカセッテの前記蛍光体プレートから放射線画像データを読み取る放射線画像読取装置と、
前記放射線画像読取装置で読み取られた前記放射線画像データを取得する制御端末と、
を備える放射線画像撮影システムにおいて、
２次元的に配列された放射線検出素子で放射線画像データを得る可搬型ＦＰＤと、
前記放射線照射装置及び前記制御端末と接続される管理手段と、
が導入可能であり、
前記制御端末は、放射線画像撮影を前記可搬型ＦＰＤ又は前記ＣＲカセッテのいずれを用いて行うかの選択が可能な選択手段を備え、
前記管理手段は、システムに導入されると、
前記選択手段において前記ＣＲカセッテを用いての撮影が選択された場合、前記操作ボタンに対して操作が行われると、直ぐに前記放射線照射装置からの放射線の照射開始を許可し、
前記選択手段において前記可搬型ＦＰＤを用いての撮影が選択された場合、前記操作ボタンに対して操作が行われても直ぐに前記放射線照射装置からの放射線の照射開始を許可せず、前記可搬型ＦＰＤの準備が整った時点で前記放射線照射装置からの放射線の照射開始を許可することを特徴とする放射線画像撮影システム。」
第３　引用例
　
１　原査定の拒絶の理由に引用され、本願の優先日前に頒布された刊行物である特開２００８−１８８３３０号公報（以下「引用例１」という。）には、次の事項が記載されている（下線は当審において付加したものである。）。
　
（１）「【技術分野】
【０００１】
　本発明は、放射線画像検出装置と携帯情報端末装置と制御装置とを用いた放射線画像撮影システム及びその制御装置に関する。」
（２）「【０００５】
　一方、上述したＣＲカセッテに代わり、基板上に２次元的に配列された放射線検出素子を内蔵し、当該放射線検出素子に照射された放射線量に応じた電気信号を出力することが可能なＦＰＤ（Ｆｌａｔ　Ｐａｎｅｌ　Ｄｅｔｅｃｔｏｒ）装置が放射線画像検出装置として提案されている（例えば、特許文献３参照）。このＦＰＤ装置を用いれば、励起光を照射して放射線画像を読み取る読取装置を必要とせず、直接的に放射線画像データを得ることができるので、ＣＲカセッテを用いた場合よりもシステム自体を簡素化することが可能となり、撮影作業も円滑となる。また、ＦＰＤ装置に内蔵された記憶部により複数の放射線画像データを記憶することができるので、一度に連続して複数の撮影を行うことが可能となり、撮影効率が向上する。
【０００６】
　ＦＰＤ装置は優れた利便性を備えているため、今後は、上記ＣＲカセッテに取って代わりＦＰＤ装置が適用されることが想定される。」
（３）「【００１６】
　本実施形態による、
放射線画像撮影システムとしてのＲＩＳ１は、
ＣＲカセッテ９を読み取って放射線画像データを得る読取装置３と、
生成された放射線画像データに画像処理を行うコンソール７とがネットワーク８を通じて接続されて構成されている。
移動可能な回診用放射線照射装置４、放射線画像検出装置としてのＦＰＤカセッテ６及びＣＲカセッテ９を備える
（４）「【００２０】
　図１に戻り、
読取装置３は、ＣＲカセッテ９を読み取る読取装置であり、
ＣＲカセッテ９に内蔵された輝尽製蛍光体プレートに励起光を照射し、これにより輝尽性蛍光体プレートから発光される輝尽発光光を光電変換し、Ａ／Ｄ変換することで、放射線画像データを得るものである。
【００２１】
　回診用放射線照射装置４は、回診先の病室などへ移動可能に構成されており、図示しない操作部により設定された撮影条件に基づいて、放射線管球４ａから放射線を照射する。
【００２２】
　基地局５は、ＦＰＤカセッテ６とコンソール７とが無線通信する際に、これらの通信を中継する機能をもつ。
〈コンソール〉
　図２（Ａ）は、コンソール７の要部構成を示すブロック図である。
【００２３】
　制御装置としての
コンソール７は、
制御部１４、ＲＡＭ１５、ＲＯＭ１６、表示部１７、入力操作部１８、通信部１９、記憶部２１等を備えるコンピュータで構成されており、
（５）「【００３０】
　記憶部２１は、管理サーバ２から送信された撮影オーダ情報リストやＦＰＤカセッテ６から送信された放射線画像データを記憶したり、また撮影オーダ情報と放射線画像データとを対応付けて記憶したりする。すなわち、記憶部２１が制御記憶部に相当する。
〈放射線画像検出装置〉
　
ＣＲカセッテ９は、放射線エネルギーの一部を蓄積する輝尽性蛍光体パネルを内蔵しており、
【００３１】
　
ＦＰＤカセッテ６は、
可搬型のカセッテＦＰＤ装置である。
（６）「【００３３】
　筐体６１の内部には、
照射された放射線を電気信号に変換する画像データ生成部としての撮像パネル６２
【００３４】
　
発光層は、
入射した放射線に基づいて、
電磁波（光）を出力する。
【００３５】
　この発光層の放射線が照射される側の面と反対側の面には、
発光層から出力された電磁波（光）を電気エネルギーに変換して蓄積し、蓄積された電気エネルギーに基づく画像信号の出力を行う光電変換部
【００３６】
　ここで、撮像パネル６２の回路構成について説明する。図４は、
光電変換部を二次元に配列した信号検出部６００
光電変換部の構成は、光電変換素子としてのフォトダイオード６０１
（７）「【００４０】
　アナログマルチプレクサ６０６では、得られた電圧値をシリアルな電気信号に変換してＡ／Ｄ変換機６０７に送信し、Ａ／Ｄ変換機６０７ではこの電気信号をデジタルデータに変換する。このようにして、
撮像パネル６２により放射線画像データが生成される。
（８）「【００６３】
　図６は、
撮影モードを入力する撮影モード入力画面１７３を表示部１７に表示した例である。
撮影モード入力画面１７３には、その中央部に「ＣＲモードボタン」１７３ａ、「ＦＰＤモードボタン」１７３ｂが設けられているとともに、その下部に「決定ボタン」１７３ｃ及び「戻るボタン」１７３ｄが設けられている。
入力操作部１８を操作し、「ＣＲモードボタン」１７３ａあるいは「ＦＰＤモードボタン」１７３ｂをクリックし、
「決定ボタン」１７３ｃをクリックする。
【００６４】
　ここで、
ＣＲモードとは、ＣＲカセッテ９を用いて回診撮影を行うモードであり、ＦＰＤモードとは、ＦＰＤカセッテ６を用いて回診撮影を行うモードである。
【００６５】
　制御部１４は、入力操作部１８からの入力を受けて、以下の処理を行う。
〈
ＣＲモードの場合
＊＊＊中略＊＊＊
【００７０】
　そして、操作者は、表示部１０５に表示された撮影オーダ情報により患者の撮影部位や撮影方向などを確認した後、選択された一のＣＲカセッテ９を撮影部位に対応する箇所に設置する。その後、
回診用放射線照射装置４を操作して放射線を照射し、ＣＲカセッテ９に放射線画像に対応する放射線量を蓄積させる。
【００７１】
　上記の撮影を繰り返し、記憶部２１に記憶された全ての撮影オーダ情報に対応する撮影が終了すると、操作者は、
撮影枚数分のＣＲカセッテ９を読取装置３に挿入し、ＣＲカセッテ９毎に放射線画像データ
を取得する。そして、放射線画像データ
コンソール７に送信する。
【００７２】
　そして、コンソール７において、ＣＲカセッテ９のカセッテＩＤに基づいて、ＣＲカセッテ９から送信された放射線画像データとＰＤＡ１０ａから送信された撮影オーダ情報とを対応付ける。このとき、コンソール７には、放射線画像データとＣＲカセッテの対応関係、撮影オーダ情報とＣＲカセッテの対応関係がそれぞれ送信されているので、これらに基づいて放射線画像データと撮影オーダ情報とを正確に対応付けることができる。
〈
ＦＰＤモードの場合
＊＊＊中略＊＊＊
【００８０】
　そして、操作者は、表示部１０５に表示された撮影オーダ情報により患者の撮影部位や撮影方向などを確認した後、ＦＰＤカセッテ６を撮影部位に対応する箇所に設置する。そして、
回診用放射線照射装置４を操作して放射線を照射し、ＦＰＤカセッテ６により放射線画像データを生成し
（９）「【００８９】
　また、
ＣＲモードとＦＰＤモードとを選択可能としている
（１０）【図１】
「
　　　　　　　　　　　　　　　　　　　　　　　　　　　　　　　　」
（１１）【図６】
「
　　　　　　　　　　　　　　　　　　　　　　　　　　　　」
２　引用例１に記載された発明の認定
　上記１（１）ないし（１１）を含む引用例１全体の記載を総合すると、引用例１には、
「　ＣＲカセッテ９を読み取って放射線画像データを得る読取装置３と、生成された放射線画像データに画像処理を行うコンソール７とがネットワーク８を通じて接続されて構成されており、移動可能な回診用放射線照射装置４、放射線画像検出装置としてのＦＰＤカセッテ６及びＣＲカセッテ９を備える放射線画像撮影システムであって、
　前記ＣＲカセッテ９は、放射線エネルギーの一部を蓄積する輝尽性蛍光体パネルを内蔵しており、
　前記読取装置３は、前記ＣＲカセッテ９に内蔵された前記輝尽製蛍光体プレートに励起光を照射し、これにより前記輝尽性蛍光体プレートから発光される輝尽発光光を光電変換し、Ａ／Ｄ変換することで、放射線画像データを得るものであり、
　前記読取装置３で取得された前記放射線画像データは前記コンソール７に送信され、
　前記ＦＰＤカセッテ６は、可搬型のカセッテＦＰＤ装置であって、照射された放射線を電気信号に変換し放射線画像データを生成する撮像パネル６２を備え、前記撮像パネル６２は、入射した放射線に基づいて電磁波（光）を出力する発光層と、前記発光層から出力された電磁波（光）を電気エネルギーに変換して蓄積し、蓄積された電気エネルギーに基づく画像信号の出力を行う光電変換部を二次元に配列した信号検出部６００とを有し、前記光電変換部は、光電変換素子としてのフォトダイオード６０１を含み、
　前記コンソール７は、制御部１４、ＲＡＭ１５、ＲＯＭ１６、表示部１７、入力操作部１８、通信部１９、記憶部２１等を備えるコンピュータで構成されており、前記表示部１７に表示される撮影モードを入力する撮影モード入力画面１７３には、その中央部に「ＣＲモードボタン」１７３ａ、「ＦＰＤモードボタン」１７３ｂが設けられているとともに、その下部に「決定ボタン」１７３ｃ及び「戻るボタン」１７３ｄが設けられており、前記入力操作部１８を操作し、「ＣＲモードボタン」１７３ａあるいは「ＦＰＤモードボタン」１７３ｂをクリックし、「決定ボタン」１７３ｃをクリックすることでＣＲモードとＦＰＤモードとが選択可能であり、
　ＣＲモードとは、前記ＣＲカセッテ９を用いて回診撮影を行うモードであり、ＦＰＤモードとは、前記ＦＰＤカセッテ６を用いて回診撮影を行うモードであり、
　ＣＲモードの場合、前記回診用放射線照射装置４を操作して放射線を照射し、前記ＣＲカセッテ９に放射線画像に対応する放射線量を蓄積させ、
　ＦＰＤモードの場合、前記回診用放射線照射装置４を操作して放射線を照射し、前記ＦＰＤカセッテ６により放射線画像データを生成する、放射線画像撮影システム。」
の発明（以下「引用発明」という。）が記載されている。
３　原査定の拒絶の理由に引用され、本願の優先日前に頒布された刊行物である特開２００６−２６７０４３号公報（以下「引用例２」という。）には、次の事項が記載されている（下線は当審において付加したものである。）。
　
（１）「【００３５】
　図１に示すように、本実施形態に係るＸ線画像撮影システム１０００は、
放射線画像データを取得する放射線画像撮影システム
放射線の一種であるＸ線を用いてＸ線画像データ（以下単に「画像データ」という。）を得るものである。
【００３６】
　Ｘ線制御室Ｒ２には、コンソール１が設けられている。本実施形態において、コンソール１は、後述するカセッテ５との間で画像データ以外の情報を送受信する情報受信手段を有し、カセッテ５が画像データを得るために機能する放射線撮影用装置である。また、このコンソール１によってＸ線画像撮影システム１０００全体が制御され、Ｘ線画像撮影の制御や取得したＸ線画像の画像処理が行われる。」
（２）「【００５６】
　次に、本実施形態において、
カセッテは
携帯可能なものである。
【００５７】
　
カセッテ５には、
パネル５４、
が配設されている。
（３）「【００６５】
　
パネル５４は、
放射線画像取得手段として機能する。
パネル５４は、間接型フラットパネルディテクタ（FPD：Flat Panel Detector）である。
（４）「【００８５】
　
コンソール制御部１３は、
Ｘ線照射スイッチの２ｎｄスイッチＯＮなどの操作者からのＸ線照射指示を受けると、撮影指示信号をカセッテ５のカセッテ制御部５３に送信する。
【００８６】
　そして、コンソール制御部１３にＸ線照射指示が入力された後、コンソール制御部１３は、Ｘ線源４とカセッテ５とを制御し、同期を取りながら撮影をする。
　
カセッテ制御部５３は、撮影指示信号を受信すると、パネル５４を初期化し、パネル５４が電気エネルギーを蓄積することができる状態に移行する。
【００８７】
　
パネル５４が電気エネルギーを蓄積できる状態に移行すると、カセッテ制御部５３は、
カセッテ５の準備終了信号を送信する。
コンソール制御部１３にカセッテの準備終了信号を伝達する。
　
コンソール制御部１３は、このカセッテの準備終了信号を受信した状態で、かつ、Ｘ線照射指示を受けた状態になると、Ｘ線照射信号をＸ線源４に送信する。Ｘ線源制御部４３は、Ｘ線照射信号を受信すると、
Ｘ線源４からＸ線を発生させる。
　また、コンソール制御部１３は、Ｘ線撮影中である旨のＸ線撮影中表示をするように表示制御部１１を制御する。」
４　引用例２に記載された技術の認定
　
　上記３（１）ないし（４）を含む引用例２全体の記載を総合すると、引用例２には、以下の技術が記載されている。
「　放射線画像データを取得する放射線画像撮影システムにおいて、
　カセッテ５は携帯可能で、放射線画像取得手段として機能するパネル５４が配設されており、前記パネル５４は間接型フラットパネルディテクタであり、
　コンソール制御部１３は、Ｘ線照射スイッチの２ｎｄスイッチＯＮによるＸ線照射指示を受けると、撮影指示信号をカセッテ５のカセッテ制御部５３に送信し、
　カセッテ制御部５３は、撮影指示信号を受信すると、パネル５４を初期化し、パネル５４が電気エネルギーを蓄積することができる状態に移行し、
　パネル５４が電気エネルギーを蓄積できる状態に移行すると、カセッテ制御部５３は、カセッテ５の準備終了信号を送信し、
　コンソール制御部１３は、このカセッテ５の準備終了信号を受信した状態で、かつ、Ｘ線照射指示を受けた状態になると、Ｘ線照射信号をＸ線源４に送信し、
　Ｘ線源制御部４３は、Ｘ線照射信号を受信すると、Ｘ線源４からＸ線を発生させる技術。」
（以下「引用例２技術」という。）
第４　本願発明と引用発明との対比
　
１　対比
　
　本願発明と引用発明とを対比する。
　
（１）
ア　引用発明の「回診用放射線照射装置４」は、本願発明の「放射線照射装置」に相当する。
イ　引用発明は「前記回診用放射線照射装置４を操作して放射線を照射」するものであるから、引用発明の「回診用放射線照射装置４」は、放射線照射を開始させるために操作する手段を有しているといえる。
ウ　引用発明が有しているといえる「操作する手段」と、本願発明の「操作ボタン」とは、「操作手段」である点において共通する。　　　　　　　　　　　　　　　　　　　　　　　　　　　　　　　　
エ　以上のことから、引用発明の「操作」されて「放射線を照射」する「回診用放射線照射装置４」と、本願発明の「放射線照射を開始させる操作ボタンを有する放射線照射装置」とは、「放射線照射を開始させる操作手段を有する放射線照射装置」である点において共通する。
（２）引用発明の「輝尽性蛍光体パネル」は、本願発明の「蛍光体プレート」に相当するから、引用発明の「輝尽性蛍光体パネルを内蔵し」た「ＣＲカセッテ９」は、本願発明の「蛍光体プレートを内蔵するＣＲカセッテ」に相当する。
（３）引用発明の「前記輝尽製蛍光体プレートに励起光を照射し、これにより前記輝尽性蛍光体プレートから発光される輝尽発光光を光電変換し、Ａ／Ｄ変換することで、放射線画像データを得る」ことは、「前記輝尽製蛍光体プレート」から「放射線画像データ」を読み取ることにほかならないから、引用発明の「前記ＣＲカセッテ９に内蔵された前記輝尽製蛍光体プレートに励起光を照射し、これにより前記輝尽性蛍光体プレートから発光される輝尽発光光を光電変換し、Ａ／Ｄ変換することで、放射線画像データを得るものであ」る「読取装置３」は、本願発明の「前記ＣＲカセッテの前記蛍光体プレートから放射線画像データを読み取る放射線画像読取装置」に相当する。
（４）
ア　引用発明の「コンソール７」は、「制御部１４、ＲＡＭ１５、ＲＯＭ１６、表示部１７、入力操作部１８、通信部１９、記憶部２１等を備えるコンピュータで構成され」、「放射線画像データに画像処理を行う」ものであるから、制御部を備える端末であるといえる。
　よって、引用発明の「コンソール７」は、本願発明の「制御端末」に相当する。
イ　引用発明において、「前記読取装置３で取得された前記放射線画像データは前記コンソール７に送信され」ることから、「前記コンソール７」は「前記読取装置３で取得された前記放射線画像データ」を取得するものである。
ウ　以上のことから、引用発明の「前記読取装置３で取得された前記放射線画像データ」を取得する「前記コンソール７」は、本願発明の「前記放射線画像読取装置で読み取られた前記放射線画像データを取得する制御端末」に相当する。
（５）引用発明の「放射線画像撮影システム」は、本願発明の「放射線画像撮影システム」に相当する。
（６）
ア　引用発明の「可搬型のカセッテＦＰＤ装置」である「ＦＰＤカセッテ６」は、本願発明の「可搬型ＦＰＤ」に相当する。
イ　引用発明の「撮像パネル６２」は、「入射した放射線に基づいて電磁波（光）を出力する発光層と、前記発光層から出力された電磁波（光）を電気エネルギーに変換して蓄積し、蓄積された電気エネルギーに基づく画像信号の出力を行う光電変換部を二次元に配列した信号検出部６００とを有」するものであるところ、「前記光電変換部は、光電変換素子としてのフォトダイオード６０１を含」んでいるから、「信号検出部６００」は「光電変換素子を二次元に配列した」ものである。
ウ　また、引用発明の「発光層」が二次元的に設けられていることは明らかである。
エ　引用発明の「撮像パネル６２」は、「照射された放射線を電気信号に変換し放射線画像データを生成する」ものであり、「照射された放射線」の「電気信号」への「変換」は、「撮像パネル６２」が有する二次元的に設けられた「発光層」と「光電変換素子を二次元に配列した」「信号検出部６００」とにより行われることから、引用発明の「撮像パネル６２」は、「二次元的に配列された放射線検出素子」であるといえる。
オ　以上のことから、引用発明の「二次元的に配列された放射線検出素子」であるといえる「照射された放射線を電気信号に変換し放射線画像データを生成する撮像パネル６２を備え」た、「可搬型のカセッテＦＰＤ装置」である「ＦＰＤカセッテ６」は、本願発明の「２次元的に配列された放射線検出素子で放射線画像データを得る可搬型ＦＰＤ」に相当する。
（７）引用発明の「放射線画像撮影システム」は、「ＦＰＤカセッテ６」を備えたものであるから、「ＦＰＤカセッテ６」が導入可能であることは明らかである。
　よって、引用発明の「放射線画像撮影システム」は「ＦＰＤカセッテ６」を「備え」ていることは、本願発明の「放射線画像撮影システム」は「可搬型ＦＰＤ」が「導入可能であ」ることに相当する。
（８）
ア　引用発明の「ＣＲモードとは、前記ＣＲカセッテ９を用いて回診撮影を行うモードであり、ＦＰＤモードとは、前記ＦＰＤカセッテ６を用いて回診撮影を行うモードであ」るから、引用発明において「ＣＲモードとＦＰＤモードとが選択可能であ」ることは、「回診撮影を前記ＣＲカセッテ９又は前記ＦＰＤカセッテ６のいずれを用いて行うかの選択が可能である」ことである。
イ　引用発明の「回診撮影」は「回診用放射線照射装置４」を用いて行うことから、引用発明の「回診撮影」が「放射線画像撮影」であることは明らかである。
ウ　引用発明の「コンソール７」は、「表示部１７に」「撮影モードを入力する撮影モード入力画面１７３」を表示させ、「その中央部に「ＣＲモードボタン」１７３ａ、「ＦＰＤモードボタン」１７３ｂが設けられているとともに、その下部に「決定ボタン」１７３ｃ及び「戻るボタン」１７３ｄが設けられており、前記入力操作部１８を操作し、「ＣＲモードボタン」１７３ａあるいは「ＦＰＤモードボタン」１７３ｂをクリックし、「決定ボタン」１７３ｃをクリックすることでＣＲモードとＦＰＤモードとが選択可能であ」るから、「ＣＲモードとＦＰＤモードとが選択可能」な選択手段を備えていることは明らかである。
エ　以上のことから、引用発明の「前記コンソール７」は、「表示部１７に」「撮影モードを入力する撮影モード入力画面１７３」を表示させ、「その中央部に「ＣＲモードボタン」１７３ａ、「ＦＰＤモードボタン」１７３ｂが設けられているとともに、その下部に「決定ボタン」１７３ｃ及び「戻るボタン」１７３ｄが設けられており、前記入力操作部１８を操作し、「ＣＲモードボタン」１７３ａあるいは「ＦＰＤモードボタン」１７３ｂをクリックし、「決定ボタン」１７３ｃをクリックすることでＣＲモードとＦＰＤモードとが選択可能であ」ることは、本願発明の「前記制御端末は、放射線画像撮影を前記可搬型ＦＰＤ又は前記ＣＲカセッテのいずれを用いて行うかの選択が可能な選択手段を備え」ることに相当する。
２　一致点
　
　よって、本願発明と引用発明とは、
　
「放射線照射を開始させる操作手段を有する放射線照射装置と、
蛍光体プレートを内蔵するＣＲカセッテと、
前記ＣＲカセッテの前記蛍光体プレートから放射線画像データを読み取る放射線画像読取装置と、
前記放射線画像読取装置で読み取られた前記放射線画像データを取得する制御端末と、
を備える放射線画像撮影システムにおいて、
２次元的に配列された放射線検出素子で放射線画像データを得る可搬型ＦＰＤが導入可能であり、
前記制御端末は、放射線画像撮影を前記可搬型ＦＰＤ又は前記ＣＲカセッテのいずれを用いて行うかの選択が可能な選択手段を備える、
放射線画像撮影システム。」
　
の発明である点で一致し、次の２点で相違する。
　
３　相違点
　
（相違点１）
　放射線照射を開始させる操作手段が、本願発明は、「ボタン」で構成されるのに対し、引用発明は、その形態が不明である点。
（相違点２）
　本願発明は、「システムに導入されると、前記選択手段において前記ＣＲカセッテを用いての撮影が選択された場合、前記操作ボタン（操作手段）に対して操作が行われると、直ぐに前記放射線照射装置からの放射線の照射開始を許可し、前記選択手段において前記可搬型ＦＰＤを用いての撮影が選択された場合、前記操作ボタン（操作手段）に対して操作が行われても直ぐに前記放射線照射装置からの放射線の照射開始を許可せず、前記可搬型ＦＰＤの準備が整った時点で前記放射線照射装置からの放射線の照射開始を許可する」、「前記放射線照射装置及び前記制御端末と接続される管理手段」が導入可能であるのに対し、引用発明は、そのような「管理手段」が導入可能であるか不明である点。
第５　当審の判断
　
１　上記各相違点について検討する。
（１）相違点１について
　放射線照射装置において、操作手段をボタンで構成することは本願優先日前において慣用されており、引用発明において、放射線照射を開始させる操作手段をボタンで構成することに、格別の技術的困難性も特段の阻害要因も見あたらない。
　よって、引用発明において、放射線照射を開始させる操作手段を「ボタン」で構成し、上記相違点１に係る本願発明の発明特定事項のように構成することは、当業者が容易に想到し得ることである。
（２）相違点２について
ア　ＣＲカセッテを用いた放射線画像撮影システムにおいて、本願発明においてＣＲカセッテを用いての撮影が選択された場合のように、操作手段に対して操作が行われると、すぐに放射線照射装置からの放射線の照射開始を許可することは、例を示すまでもなく、本願優先日前において周知である。
イ
（ア）引用例２には、上記第３の４のとおり、
「　放射線画像データを取得する放射線画像撮影システムにおいて、
　カセッテ５は携帯可能で、放射線画像取得手段として機能するパネル５４が配設されており、前記パネル５４は間接型フラットパネルディテクタであり、
　コンソール制御部１３は、Ｘ線照射スイッチの２ｎｄスイッチＯＮによるＸ線照射指示を受けると、撮影指示信号をカセッテ５のカセッテ制御部５３に送信し、
　カセッテ制御部５３は、撮影指示信号を受信すると、パネル５４を初期化し、パネル５４が電気エネルギーを蓄積することができる状態に移行し、
　パネル５４が電気エネルギーを蓄積できる状態に移行すると、カセッテ制御部５３は、カセッテ５の準備終了信号を送信し、
　コンソール制御部１３は、このカセッテ５の準備終了信号を受信した状態で、かつ、Ｘ線照射指示を受けた状態になると、Ｘ線照射信号をＸ線源４に送信し、
　Ｘ線源制御部４３は、Ｘ線照射信号を受信すると、Ｘ線源４からＸ線を発生させる技術。」
である引用例２技術が記載されている。
（イ）引用例２技術は、「カセッテの準備終了信号を受信した状態で、かつ、Ｘ線照射指示を受けた状態になると、Ｘ線照射信号をＸ線源４に送信」するものであるところ、「カセッテの準備終了信号」は、「Ｘ線照射スイッチの２ｎｄスイッチＯＮによるＸ線照射指示を受け」て「撮影指示信号」が「送信」され、「撮影指示信号を受信すると、パネル５４を初期化し、パネル５４が電気エネルギーを蓄積することができる状態に移行」すると「送信」されるものであるから、引用例２技術は、「Ｘ線照射スイッチの２ｎｄスイッチＯＮによるＸ線照射指示を受けても、すぐにＸ線照射信号を送信せず、パネル５４が電気エネルギーを蓄積することができる状態に移行するとＸ線照射信号を送信」するものである。
（ウ）ここで、本願発明と引用例２技術とを対比すると、引用例２技術の「Ｘ線源４」、「Ｘ線」、「「Ｘ線照射信号」を「送信」」、「「放射線画像取得手段として機能するパネル５４が配設されており、前記パネル５４は間接型フラットパネルディテクタであ」る、「携帯可能」な「カセッテ５」」、及び、「電気エネルギーを蓄積できる状態に移行する」ことは、それぞれ、本願発明の「放射線照射装置」、「放射線」、「照射開始を許可」、「可搬型ＦＰＤ」、及び、「準備が整」うことに相当する。
　また、引用例２技術の「Ｘ線照射スイッチ」と本願発明の「操作ボタン」とは、「操作手段」である点において共通する。
（エ）よって、引用例２技術は、上記相違点２に係る本願発明の発明特定事項のうち、「前記操作ボタン（操作手段）に対して操作が行われても直ぐに前記放射線照射装置からの放射線の照射開始を許可せず、前記可搬型ＦＰＤの準備が整った時点で前記放射線照射装置からの放射線の照射開始を許可する」構成を備えている。
ウ　上記アで指摘したＣＲカセッテを用いる場合の周知技術、及び、上記イで指摘したＦＰＤを用いる場合の公知技術を踏まえると、ＦＰＤカセッテ６及びＣＲカセッテ９を備え、ＣＲモードとＦＰＤモードとが選択可能な引用発明において、上記周知技術及び引用例２技術に基づき、選択手段においてＣＲモードが選択された場合、操作手段に対して操作が行われると、すぐに回診用放射線照射装置４からの放射線の照射開始を許可し、前記選択手段においてＦＰＤモードが選択された場合、前記操作手段に対して操作が行われてもすぐに前記回診用放射線照射装置４からの放射線の照射開始を許可せず、前記ＦＰＤカセッテ６の準備が整った時点で前記回診用放射線照射装置４からの放射線の照射開始を許可するように構成することは、当業者が容易に想到し得ることである。
エ　医用画像診断装置において新たな機器を追加することは従来周知であるところ、追加する機器に対応する制御装置を追加装備することも、例えば、原査定の拒絶の理由に引用された特開２００４−２９８６３４号公報の段落【００５２】、同じく特開２００５−２１３４５号公報の段落【００８１】及び【００８４】に記載されているように、本願優先日前において周知であることに鑑みると、引用発明において、選択手段においてＣＲモードが選択された場合、操作手段に対して操作が行われると、すぐに回診用放射線照射装置４からの放射線の照射開始を許可し、前記選択手段においてＦＰＤモードが選択された場合、前記操作手段に対して操作が行われてもすぐに前記回診用放射線照射装置４からの放射線の照射開始を許可せず、前記ＦＰＤカセッテ６の準備が整った時点で前記回診用放射線照射装置４からの放射線の照射開始を許可するように構成する際、それを実現するための制御手段を、コンソール７に組み込むのではなく、コンソール７及び回診用放射線照射装置４と接続される管理手段として導入することは、当業者であれば必要に応じて採用し得る設計事項であるといえる。
　そして、コンソール７及び回診用放射線照射装置４との接続には無線による接続も採用し得ることは明らかであるから、コンソール７及び回診用放射線照射装置４と接続される管理手段として導入することに、格別の技術的困難性も特段の阻害要因も見あたらない。
オ　よって、上記相違点２に係る本願発明の発明特定事項は、引用発明、引用例２技術及び周知技術に基づいて、当業者が容易に想到し得ることである。
２　本願発明の奏する作用効果
　
　既存の医用画像診断装置に新たな機能を追加することに関する周知例である上記特開２００５−２１３４５号公報の段落【００８１】に「従来のＸ線撮影システムに小改造を施すだけで・・・実現する」との記載があるように、本願発明によってもたらされる「追加あるいは更新にともなう影響範囲を限定的とし、システムの機能拡張時のシステムデバック範囲を減縮可能で、簡便に行うことができる」という効果は、引用発明、引用例２技術及び周知技術から当業者が予測し得る程度のものである。
　
３　まとめ
　
　以上のとおりであり、本願発明は、引用発明、引用例２技術及び周知技術に基いて当業者が容易に発明をすることができたものであるから、特許法第２９条第２項の規定により特許を受けることができない。
　
　
第６　むすび
　
　以上のとおりであるから、本願発明は、特許法第２９条第２項の規定により特許を受けることができない。
　
　したがって、その余の請求項に係る発明について論及するまでもなく、本願は拒絶すべきものである。
　
　
　よって、結論のとおり審決する。